(57)【要約】【課題】役に立つシミュレーションを行うことが可能な入札シミュレーション装置及びプログラムを提供する。【解決手段】各評価項目に対する点数が固定点か流動点かの区別を、ユーザに入力させる手段と、自社の複数の流動点と自社の固定点と他社の複数の流動点と他社の固定点と他社の入札金額とに基づいて、自社最高額を自社の流動点毎にかつ他社の流動点毎に算出する自社最高額算出手段と、自社の最高の流動点と他社の最高の流動点とに対する自社最高額と、自社の最低の流動点と他社の最高の流動点とに対する自社最高額とを、表示する自社最高額表示手段と、を有する入札シミュレーション装置。【選択図】  図９
2008250461.tif 000002
【特許請求の範囲】
【請求項１】
入札価格と評価項目に対する得点とに基づいて評価値を求め該評価値に基づいて落札者を決定する総合評価落札方式に、対応した入札シミュレーション装置であって、
各評価項目について、該評価項目に対する点数が固定点か流動点かの区別を、ユーザに入力させる手段と、
それぞれ入力された又は入力された情報に基づいて設定した、自社の複数の流動点と、自社の固定点と、他社の単数又は複数の流動点と、前記他社の固定点と、前記他社の入札金額とに基づいて、自社が落札可能と予想される自社の入札金額の最高額（以下、「自社最高額」という。）を、前記他社の流動点が単数の場合には自社の流動点毎に、前記他社の流動点が複数の場合には自社の流動点毎にかつ前記他社の流動点毎に、算出する自社最高額算出手段と、
算出された前記自社最高額に基づいて、少なくとも、自社の最高の流動点と前記他社の１つの流動点とに対する前記自社最高額と、自社の最低の流動点と前記他社の前記１つの流動点とに対する前記自社最高額とを、表示する自社最高額表示手段と、
を有することを特徴とする入札シミュレーション装置。
【請求項２】
前記自社最高額算出手段が、自社の複数の流動点と自社の固定点と前記他社の複数の流動点と前記他社の固定点と前記他社の入札金額とに基づいて、前記自社最高額を自社の流動点毎にかつ前記他社の流動点毎に算出し、
前記自社最高額表示手段が、前記自社最高額に基づいて、自社が落札可能と予想される自社の入札金額の範囲を自社の流動点毎にかつ前記他社の流動点毎に表示する
ことを特徴とする請求項１記載の入札シミュレーション装置。
【請求項３】
前記自社最高額表示手段が、前記自社最高額に基づいて、自社が落札可能と予想される自社の入札金額の範囲を自社の流動点毎にかつ前記他社の流動点毎に示す棒グラフを、表示することを特徴とする請求項２記載の入札シミュレーション装置。
【請求項４】
前記棒グラフは、自社の最高の流動点と前記他社の最高の流動点とに対する前記自社最高額を示す部分と、自社の最低の流動点と前記他社の最高の流動点とに対する前記自社最高額を示す部分とが、他の部分とは区別可能にされていることを特徴とする請求項３記載の入札シミュレーション装置。
【請求項５】
入札価格と評価項目に対する得点とに基づいて評価値を求め該評価値に基づいて落札者を決定する総合評価落札方式に、対応した入札シミュレーション装置であって、
各評価項目について、該評価項目に対する点数が固定点か流動点かの区別を、ユーザに入力させる手段と、
それぞれ入力された又は入力された情報に基づいて設定した、自社の複数の流動点と、自社の固定点と、自社の入札金額と、他社の単数又は複数の流動点と、前記他社の固定点とに基づいて、自社が落札可能と予想される前記他社の入札金額の最低額（以下、「他社最低額」という。）を、前記他社の流動点が単数の場合には自社の流動点毎に、前記他社の流動点が複数の場合には自社の流動点毎にかつ前記他社の流動点毎に、算出する他社最低額算出手段と、
算出された前記他社最低額に基づいて、前記他社最低額を、前記他社の流動点が単数の場合には自社の流動点毎に、前記他社の流動点が複数の場合には自社の流動点毎にかつ前記他社の流動点毎に、表示する他社最低額表示手段と、
を有することを特徴とする入札シミュレーション装置。
【請求項６】
前記他社最低額表示手段が、入力された予定価格を超える前記他社最低額を、前記予定価格を超えない前記他社最低額とは区別可能に表示する
ことを特徴とする請求項５記載の入札シミュレーション装置。
【請求項７】
前記他社最低額算出手段が、自社の複数の流動点と自社の固定点と自社の入札金額と前記他社の複数の流動点と前記他社の固定点とに基づいて、前記他社最低額を自社の流動点毎にかつ前記他社の流動点毎に算出し、
前記他社最低額表示手段が、前記他社最低額に基づいて、自社が落札可能と予想される前記他社の入札金額の範囲を自社の流動点毎にかつ前記他社の流動点毎に表示する
ことを特徴とする請求項５記載の入札シミュレーション装置。
【請求項８】
前記他社最低額表示手段が、前記他社最低額に基づいて、自社が落札可能と予想される前記他社の入札金額の範囲を自社の流動点毎にかつ前記他社の流動点毎に示す棒グラフを、表示する
ことを特徴とする請求項７記載の入札シミュレーション装置。
【請求項９】
コンピュータを、
総合評価落札方式のための各評価項目について、該評価項目に対する点数が固定点か流動点かの区別を、ユーザに入力させる手段、
それぞれ入力された又は入力された情報に基づいて設定した、自社の複数の流動点と、自社の固定点と、他社の単数又は複数の流動点と、前記他社の固定点と、前記他社の入札金額とに基づいて、自社最高額を、前記他社の流動点が単数の場合には自社の流動点毎に、前記他社の流動点が複数の場合には自社の流動点毎にかつ前記他社の流動点毎に、算出する自社最高額算出手段、
及び、
算出された前記自社最高額に基づいて、少なくとも、自社の最高の流動点と前記他社の１つの流動点とに対する前記自社最高額と、自社の最低の流動点と前記他社の前記１つの流動点とに対する前記自社最高額とを、表示する自社最高額表示手段、
として機能させるためのプログラム。
【請求項１０】
前記自社最高額算出手段が、自社の複数の流動点と自社の固定点と前記他社の複数の流動点と前記他社の固定点と前記他社の入札金額とに基づいて、前記自社最高額を自社の流動点毎にかつ前記他社の流動点毎に算出し、
前記自社最高額表示手段が、前記自社最高額に基づいて、自社が落札可能と予想される自社の入札金額の範囲を自社の流動点毎にかつ前記他社の流動点毎に表示する
ことを特徴とする請求項９記載のプログラム。
【請求項１１】
コンピュータを、
総合評価落札方式のための各評価項目について、該評価項目に対する点数が固定点か流動点かの区別を、ユーザに入力させる手段、
それぞれ入力された又は入力された情報に基づいて設定した、自社の複数の流動点と、自社の固定点と、自社の入札金額と、他社の単数又は複数の流動点と、前記他社の固定点とに基づいて、他社最低額を、前記他社の流動点が単数の場合には自社の流動点毎に、前記他社の流動点が複数の場合には自社の流動点毎にかつ前記他社の流動点毎に、算出する他社最低額算出手段、
及び、
算出された前記他社最低額に基づいて、前記他社最低額を、前記他社の流動点が単数の場合には自社の流動点毎に、前記他社の流動点が複数の場合には自社の流動点毎にかつ前記他社の流動点毎に、表示する他社最低額表示手段、
として機能させるためのプログラム。
【請求項１２】
前記他社最低額算出手段が、自社の複数の流動点と自社の固定点と自社の入札金額と前記他社の複数の流動点と前記他社の固定点とに基づいて、前記他社最低額を自社の流動点毎にかつ前記他社の流動点毎に算出し、
前記他社最低額表示手段が、前記他社最低額に基づいて、自社が落札可能と予想される前記他社の入札金額の範囲を自社の流動点毎にかつ前記他社の流動点毎に表示する
ことを特徴とする請求項１１記載のプログラム。
【発明の詳細な説明】
【技術分野】
【０００１】
本発明は、工事の入札価格を決定するためのシミュレーションを行う入札シミュレーション装置及びプログラムに関する。
【背景技術】
【０００２】
公共工事の落札方式として、国土交通省が進める総合評価落札方式がある。この総合評価落札方式は、従来の価格のみによる落札方式とは異なり、価格と価格以外の要素（例えば、初期性能の維持、施工時の安全性や環境への影響等）を総合的に評価し、落札者を決定する方式である（非特許文献１〜３参照）。
【０００３】
総合評価落札方式は、入札者の申込みに係る各評価項目に対する得点の合計（以下、「評価点」という。）を入札価格で除して得られる評価値が最も高い者を落札者としている。すなわち、評価値は次式［数１］で算出される。
【０００４】
[数１]
評価値＝評価点÷入札価格
評価点の算出方法には種々のものがあり、例えば、非特許文献３の17〜20頁に記載された性能等のみを評価する方法で必須以外評価項目のみ評価する場合は、次式［数２］で算出される。
【０００５】
[数２]
評価点＝標準点＋加算点
また、加算点は次式［数３］で算出される。
【０００６】
[数３]
加算点＝（（技術力評価の評価得点＋技術提案の評価得点）÷配点）×最高加算点
ここで、標準点は１００点であり、最高加算点は、国土交通省型の評価方法及び県の簡易型の評価方法では１０点、県の標準型の評価方法では２０点とされる等、工事毎に定められる。したがって、例えば、評価点の最高は１１０点又は１２０点となる。
【０００７】
但し、次式［数４］に示す基準評価値よりも評価値が低い者は落札できない。
【０００８】
[数４]
基準評価値＝標準点÷予定価格
予定価格とは標準点を達成するのに必要なコストであり、入札価格が予定価格を超えている者も落札できない。
【０００９】
すなわち、図１に示すように、評価値は、入札価格をｘ座標、評価点をｙ座標とする点と、原点とを結ぶ線の傾きに相当し、この傾きが一番高い者が落札者となる。但し、入札価格をｘ座標、評価点をｙ座標とする点が、図１の濃い灰色の部分に入る者は、入札価格が予定価格を超えているため、図１の薄い灰色の部分に入る者は、基準評価値より評価値が低いため、落札できない。
【００１０】
このように総合評価落札方式では、評価点と入札価格とに基づいて落札者を決定しているため、自社が落札可能な入札価格や他社が落札可能な入札価格を知るためのシミュレーションを行うときは、自社の評価点や他社の評価点を予想して、その予想に基づいて計算を行うこととなる。
【００１１】
ここで、評価点中の加算点には、例えば「施工管理技術者がいるか」等、客観的に評価可能な項目に対する点数と、例えば「工程計画に工夫が見られるか」等、客観的には評価不可能な項目に対する点数とがあり、後者については明確に何点とは決められない流動的なものである。しかし、従来、入札シミュレーションを行うときは、各評価項目に対する点数が固定的なものか流動的なものかを区別せずに、すべて「何点」と固定的に決めてシミュレーションを行っていた。
【非特許文献１】“総合評価落札方式  技術とノウハウを活かした公共工事をめざして”、［online］、国土交通省国土技術政策総合研究所総合技術政策研究センター建設マネジメント技術研究室、［平成１８年１０月２０日検索］、インターネット〈ＵＲＬ：http://www.nilim.go.jp/lab/peg/siryou/sougou/panhu/all_panhu.pdf〉
【非特許文献２】“公共工事発注にあたっての総合評価落札方式活用ガイド”、［online］、国土交通省国土技術政策総合研究所総合技術政策研究センター建設マネジメント技術研究室、［平成１８年１０月２０日検索］、インターネット〈ＵＲＬ：http://www.nilim.go.jp/lab/peg/siryou/sougou/gaido/all_gaido.pdf〉
【非特許文献３】“公共工事における総合評価落札方式の手引き・事例集（改訂第２集案）”、［online］、国土交通省国土技術政策総合研究所総合技術政策研究センター建設マネジメント技術研究室、［平成１８年１０月２０日検索］、インターネット〈ＵＲＬ：http://www.nilim.go.jp/lab/peg/siryou/sougou/tebiki2/2-all.pdf〉
【発明の開示】
【発明が解決しようとする課題】
【００１２】
上述したように、各評価項目に対する点数を、それが固定的なものか流動的なものかを区別せずに、すべて固定的に決めて、言わばピンポイント予想する従来の入札シミュレーションでは、流動的な点数に対する予想が外れてしまうことが多いため、実際に利用可能な予想が得られず、役に立たないという問題があった。
【００１３】
この発明は、上述した問題を解決するものであり、役に立つシミュレーションを行うことが可能な入札シミュレーション装置及びプログラムを提供することを目的とする。
【課題を解決するための手段】
【００１４】
請求項１記載の入札シミュレーション装置は、入札価格と評価項目に対する得点とに基づいて評価値を求め該評価値に基づいて落札者を決定する総合評価落札方式に、対応したものであって、各評価項目について、該評価項目に対する点数が固定点か流動点かの区別を、ユーザに入力させる手段と、それぞれ入力された又は入力された情報に基づいて設定した、自社の複数の流動点と、自社の固定点と、他社の単数又は複数の流動点と、前記他社の固定点と、前記他社の入札金額とに基づいて、自社が落札可能と予想される自社の入札金額の最高額（以下、「自社最高額」という。）を、前記他社の流動点が単数の場合には自社の流動点毎に、前記他社の流動点が複数の場合には自社の流動点毎にかつ前記他社の流動点毎に、算出する自社最高額算出手段と、算出された前記自社最高額に基づいて、少なくとも、自社の最高の流動点と前記他社の１つの流動点とに対する前記自社最高額と、自社の最低の流動点と前記他社の前記１つの流動点とに対する前記自社最高額とを、表示する自社最高額表示手段と、を有することを特徴とする。
【００１５】
なお、下記実施形態では、このために、自社最高額表示手段は第１詳細シミュレーション画面を表示する。
【００１６】
これによれば、自社最高額が自社の流動点の幅に応じた幅を持って示され、入札金額をその自社最高額の幅内で決定すれば落札可能性が高いことから、実際に役に立つシミュレーションを行うことができる。
【００１７】
なお、請求項１の「他社の１つの流動点」とは、他社の最高の流動点とすることが好ましい。すなわち、他社の流動点を単数設定する場合は、最高の流動点を設定して、その他社の最高の流動点と自社の最高及び最低の流動点とに対する自社最高額を表示することが好ましく、他社の流動点を複数設定する場合は、その中の最高の流動点と自社の最高及び最低の流動点とに対する自社最高額を表示することが好ましい。他社の流動点を最高と仮定すれば、より落札可能性の高い予想が得られるからである。
【００１８】
ここで、請求項２記載の入札シミュレーション装置のように、前記自社最高額算出手段が、自社の複数の流動点と自社の固定点と前記他社の複数の流動点と前記他社の固定点と前記他社の入札金額とに基づいて、前記自社最高額を自社の流動点毎にかつ前記他社の流動点毎に算出し、前記自社最高額表示手段が、前記自社最高額に基づいて、自社が落札可能と予想される自社の入札金額の範囲を自社の流動点毎にかつ前記他社の流動点毎に表示することが好ましい。
【００１９】
なお、下記実施形態では、このために、自社最高額表示手段は第１グラフ表示画面を表示する。
【００２０】
これによれば、自社の流動点と他社の流動点との組合せのそれぞれについて、落札可能性が高い自社の入札金額の範囲を知ることができるので、さらに役に立つシミュレーションが行える。
【００２１】
また、請求項３記載の入札シミュレーション装置のように、前記自社最高額表示手段が、前記自社最高額に基づいて、自社が落札可能と予想される自社の入札金額の範囲を自社の流動点毎にかつ前記他社の流動点毎に示す棒グラフを、表示するが好ましい。
【００２２】
これによれば、落札可能性が高い自社の入札金額の範囲を視覚的に把握できるので、かかる範囲の把握が容易となる。
【００２３】
さらに、請求項４記載の入札シミュレーション装置のように、前記棒グラフは、自社の最高の流動点と前記他社の最高の流動点とに対する前記自社最高額を示す部分と、自社の最低の流動点と前記他社の最高の流動点とに対する前記自社最高額を示す部分とが、他の部分とは区別可能にされていることが好ましい。
【００２４】
これによれば、より落札可能性が高い自社の入札金額の範囲を把握し易い。
【００２５】
請求項５記載の入札シミュレーション装置は、入札価格と評価項目に対する得点とに基づいて評価値を求め該評価値に基づいて落札者を決定する総合評価落札方式に、対応したものであって、各評価項目について、該評価項目に対する点数が固定点か流動点かの区別を、ユーザに入力させる手段と、それぞれ入力された又は入力された情報に基づいて設定した、自社の複数の流動点と、自社の固定点と、自社の入札金額と、他社の単数又は複数の流動点と、前記他社の固定点とに基づいて、自社が落札可能と予想される前記他社の入札金額の最低額（以下、「他社最低額」という。）を、前記他社の流動点が単数の場合には自社の流動点毎に、前記他社の流動点が複数の場合には自社の流動点毎にかつ前記他社の流動点毎に、算出する他社最低額算出手段と、算出された前記他社最低額に基づいて、前記他社最低額を、前記他社の流動点が単数の場合には自社の流動点毎に、前記他社の流動点が複数の場合には自社の流動点毎にかつ前記他社の流動点毎に、表示する他社最低額表示手段と、を有することを特徴とする。
【００２６】
なお、下記実施形態では、このために、他社最高額表示手段は第２詳細シミュレーション画面を表示する。
【００２７】
これによれば、自社の流動点を考慮した様々なケースにおける他社最低額を知ることができ、役に立つシミュレーションを行うことができる。
【００２８】
ここで、請求項６記載の入札シミュレーション装置のように、前記他社最低額表示手段が、入力された予定価格を超える前記他社最低額を、前記予定価格を超えない前記他社最低額とは区別可能に表示することが好ましい。
【００２９】
これによれば、入力された予定価格を超える他社最低額の存在に、ユーザの注意を向けることができる。
【００３０】
また、請求項７記載の入札シミュレーション装置のように、前記他社最低額算出手段が、自社の複数の流動点と自社の固定点と自社の入札金額と前記他社の複数の流動点と前記他社の固定点とに基づいて、前記他社最低額を自社の流動点毎にかつ前記他社の流動点毎に算出し、前記他社最低額表示手段が、前記他社最低額に基づいて、自社が落札可能と予想される前記他社の入札金額の範囲を自社の流動点毎にかつ前記他社の流動点毎に表示することが好ましい。
【００３１】
なお、下記実施形態では、このために、他社最高額表示手段は第２グラフ表示画面を表示する。
【００３２】
これによれば、自社の流動点と他社の流動点との組合せのそれぞれについて、自社が落札可能と予想される他社の入札金額の範囲を知ることができ、さらに役に立つシミュレーションを行うことができる。
【００３３】
また、請求項８記載の入札シミュレーション装置のように、前記他社最低額表示手段が、前記他社最低額に基づいて、自社が落札可能と予想される前記他社の入札金額の範囲を自社の流動点毎にかつ前記他社の流動点毎に示す棒グラフを、表示することが好ましい。
【００３４】
これによれば、自社が落札可能と予想される他社の入札金額の範囲が、視覚的に把握できる。
【００３５】
請求項９記載のプログラムは、コンピュータを、総合評価落札方式のための各評価項目について、該評価項目に対する点数が固定点か流動点かの区別を、ユーザに入力させる手段、それぞれ入力された又は入力された情報に基づいて設定した、自社の複数の流動点と、自社の固定点と、他社の単数又は複数の流動点と、前記他社の固定点と、前記他社の入札金額とに基づいて、自社最高額を、前記他社の流動点が単数の場合には自社の流動点毎に、前記他社の流動点が複数の場合には自社の流動点毎にかつ前記他社の流動点毎に、算出する自社最高額算出手段、及び、算出された前記自社最高額に基づいて、少なくとも、自社の最高の流動点と前記他社の１つの流動点とに対する前記自社最高額と、自社の最低の流動点と前記他社の前記１つの流動点とに対する前記自社最高額とを、表示する自社最高額表示手段、として機能させるためのものである。
【００３６】
すなわち、請求項９記載のプログラムは、コンピュータを、請求項１記載の入札シミュレーション装置として機能させる。
【００３７】
ここで、請求項１０記載のプログラムのように、前記自社最高額算出手段が、自社の複数の流動点と自社の固定点と前記他社の複数の流動点と前記他社の固定点と前記他社の入札金額とに基づいて、前記自社最高額を自社の流動点毎にかつ前記他社の流動点毎に算出し、前記自社最高額表示手段が、前記自社最高額に基づいて、自社が落札可能と予想される自社の入札金額の範囲を自社の流動点毎にかつ前記他社の流動点毎に表示することが好ましい。
【００３８】
すなわち、請求項１０記載のプログラムは、コンピュータを、請求項２記載の入札シミュレーション装置として機能させる。
【００３９】
請求項１１記載のプログラムは、コンピュータを、総合評価落札方式のための各評価項目について、該評価項目に対する点数が固定点か流動点かの区別を、ユーザに入力させる手段、それぞれ入力された又は入力された情報に基づいて設定した、自社の複数の流動点と、自社の固定点と、自社の入札金額と、他社の単数又は複数の流動点と、前記他社の固定点とに基づいて、他社最低額を、前記他社の流動点が単数の場合には自社の流動点毎に、前記他社の流動点が複数の場合には自社の流動点毎にかつ前記他社の流動点毎に、算出する他社最低額算出手段、及び、算出された前記他社最低額に基づいて、前記他社最低額を、前記他社の流動点が単数の場合には自社の流動点毎に、前記他社の流動点が複数の場合には自社の流動点毎にかつ前記他社の流動点毎に、表示する他社最低額表示手段、として機能させるためのものである。
【００４０】
すなわち、請求項１１記載のプログラムは、コンピュータを、請求項５記載の入札シミュレーション装置として機能させる。
【００４１】
ここで、請求項１２記載のプログラムのように、前記他社最低額算出手段が、自社の複数の流動点と自社の固定点と自社の入札金額と前記他社の複数の流動点と前記他社の固定点とに基づいて、前記他社最低額を自社の流動点毎にかつ前記他社の流動点毎に算出し、前記他社最低額表示手段が、前記他社最低額に基づいて、自社が落札可能と予想される前記他社の入札金額の範囲を自社の流動点毎にかつ前記他社の流動点毎に表示することが好ましい。
【００４２】
すなわち、請求項１２記載のプログラムは、コンピュータを、請求項７記載の入札シミュレーション装置として機能させる。
【発明の効果】
【００４３】
本発明の入札シミュレーション装置によれば、従来のピンポイント予想では得られない、流動的な評価項目に対する点数を反映した幅を持った予想が得られ、役に立つシミュレーションを行うことができる。
【発明を実施するための最良の形態】
【００４４】
以下、本発明の一実施形態を図面に基づいて説明する。
【００４５】
１．構成
入札シミュレーション装置１（以下、「装置１」と略す。）は、コンピュータであり、図２に示すように、入力部１１、演算処理部１２、記憶部１３、及び、表示部１４を備えている。装置１には、ＯＳ（オペレーティング・システム）とそのＯＳ上で動作する表計算プログラムとがインストールされている。本実施形態では、ＯＳとしてWindows（登録商標）、表計算プログラムとしてExcel（登録商標）がインストールされている。
【００４６】
入力部１１は、キーボード、及び、マウス等のポインティング・デバイスから構成されて、ユーザの操作に応じて各種情報を演算処理部１２に入力するものである。
【００４７】
記憶部１３は、半導体メモリ、ハードディスク装置、フレキシブルディスク装置、光磁気ディスク装置、コンパクト・ディスク装置等から構成されている。記憶部１３には、入札シミュレーションプログラム２１が記憶されている。
【００４８】
演算処理部１２は、ＣＰＵ、ＣＰＵのワークエリアとなるＲＡＭ、固定データを格納したＲＯＭ等から構成されている。演算処理部１２は、入札シミュレーションプログラム２１に従って動作することにより、流動点等の設定、自社最高額や他社最低額の算出、表示部１４への各種画面の表示命令等を行う。すなわち、演算処理部１２は、自社最高額算出手段、及び、他社最低額算出手段として機能し、また、表示部１４と共に、自社最高額表示手段、及び、他社最低額表示手段として機能する。
【００４９】
表示部１４は、ＣＲＴまたは液晶ディスプレイ等から構成され、演算処理部１２からの表示命令に応じて、評価シート画面等の各種の画面を表示する。評価シート画面は、各評価項目についてその評価項目に対する点数が固定点か流動点かの区別が入力される画面である。すなわち、表示部１４は、入力部１１及び演算処理部１２と共に、各評価項目についてその評価項目に対する点数が固定点か流動点かの区別をユーザに入力させる手段として機能する。
【００５０】
入札シミュレーションプログラム２１は、コンピュータである装置１を、上記のように固定点か流動点かの区別をユーザに入力させる手段、自社最高額算出手段、自社最高額表示手段、他社最低額算出手段、及び、他社最低額表示手段として機能させるためのプログラムである。入札シミュレーションプログラム２１には、簡易シミュレーション画面、国土交通省型、県簡易型、県標準型の各型式の評価シート画面等の各種画面のデータが含まれている。
【００５１】
２．動作
以上のように構成された装置１の動作について、図３のフローチャートに基づいて説明する。
【００５２】
２−１．簡易シミュレーション
まず、他社との比較無しにシミュレーションを行う簡易シミュレーションについて説明する。ユーザが、入札シミュレーションプログラム２１を起動すると、装置１は、図４に示すような簡易シミュレーション画面を表示部１４に表示する（ステップＳ０１）。ユーザは、入力部１１を用いて、この画面の工事名欄３１に工事名、予定価格欄３２に発注者により公表された予定価格、工事コード欄３３に工事コードを入力する。また、ユーザは、型式欄３４において、評価方法が国土交通省型か県の簡易型か県の標準型かを選択する。さらに、ユーザは、丸め指定欄３５に入札金額を丸めるときの単位、桁数欄３６に評価点の小数点以下の桁数を入力する。装置１は、入力された情報を記憶する（Ｓ０２）。
【００５３】
そして、ユーザが「技術力・技術提案」ボタン３７をクリックすると、装置１は、ユーザが選択した型式の評価シート画面を、表示部１４に表示する。図５は、県簡易型の評価シート画面の例である。この画面には、各評価項目について、評価対象か否かの区別が入力される評価対象欄４１、流動点か否かの区別が入力される流動点欄４２、評価項目の内容が表示された評価項目欄４３、評価基準が表示された評価基準欄４４、配点が表示された配点欄４５、及び、得点が入力される得点欄４６が設けられている。なお、評価シート画面は、国土交通省や各県が公表した評価項目、評価基準、及び、配点に基づいて作成されたものである。
【００５４】
ユーザは、評価シート画面において、各評価項目に対し、評価対象か否か、評価対象であれば流動点か否（すなわち、固定点）か、固定点であれば得点は何点か等の各種情報を入力する（Ｓ０２）。固定点とは、自己でも評価できる（すなわち、客観的に評価可能な）得点であり、流動点とは、自己では評価できない（すなわち、客観的に評価不可能な）得点である。
【００５５】
詳説すると、全ての評価対象欄４１には、デフォルトとしてチェックが入力されているので、ユーザは、評価対象とならない評価項目の評価対象欄４１のチェックを、クリックにより外す。工事によっては評価対象とならない評価項目があるからである。装置１は、評価対象欄４１のチェックが外された評価項目については、流動点欄４２及び得点欄４６への入力ができないようにする。図５の例では、「県発注工事の過去４年間における工事成績評定の平均点」が、評価対象とならない評価項目に該当する。
【００５６】
また、ユーザは、評価対象欄４１のチェックを外さなかった評価項目（すなわち、評価対象となる評価項目）のうち、自己では評価不可能な項目については、流動点欄４２にチェックを入力し、自己でも評価可能な項目については、流動点欄４２にチェックを入力しない。流動点欄４２にチェックが入力された評価項目に対する点数は流動点となり、流動点欄４２にチェックが入力されなかった評価項目に対する点数は固定点となる。図５の例では、例えば、評価項目「県発注工事の過去１０年間における同種・類似工事の施工実績の有無」に対する点数は固定点となり、評価項目「労働安全衛生・品質・環境マネジメントシステムの取組状況」に対する点数は流動点となる。
【００５７】
装置１は、流動点欄４２にチェックが入力された評価項目（すなわち、流動点の評価項目）については、得点欄４６への入力ができないようにし、その評価項目に対する最高得点（例えば、図５の評価項目「労働安全衛生・品質・環境マネジメントシステムの取組状況」では1.0点）を、流動点の合計（初期値は０）に加算する。流動点の合計は、流動点合計欄４８に表示される。
【００５８】
ユーザは、流動点欄４２にチェックを入力しなかった評価項目（すなわち、固定点の評価項目）については、該当する評価基準の得点欄４６にチェックを入力することにより、得点を入力する。装置１は、入力された得点（例えば、図５の評価項目「県発注工事の過去１０年間における同種・類似工事の施工実績の有無」では1.0点）を、固定点の合計（初期値は０）に加算する。固定点の合計は、固定点合計欄４７に表示される。
【００５９】
以上のようにして、ユーザが各評価項目に対して、評価対象か否か、評価対象であれば流動点か固定点か、固定点であれば得点は何点かを入力すると、装置１は、固定点の合計と流動点の合計とを算出する。固定点の合計は、固定点の各評価項目に対して入力された得点の合計、流動点の合計は、流動点の各評価項目に対する最高得点の合計となる。
【００６０】
そして、ユーザがボタン４９をクリックすると、装置１は、上記のように算出した流動点の合計を自社の最高の流動点、０点を自社の最低の流動点とし、上記のように算出した固定点の合計を自社の固定点として、下記［数５］に基づいて、自社の最高の流動点と自社の固定点とから自社の最高の評価点を算出し、また、自社の最低の流動点と自社の固定点とから自社の最低の評価点を算出する。
【００６１】
[数５]
評価点＝標準点＋（（固定点＋流動点）÷配点）×最高加算点
ここで、標準点は１００点であり、配点は、評価対象とされた各評価項目に対する最高得点の合計（すなわち、満点の場合の点数）であり、本実施形態では、国土交通省型は簡易型・標準型の区別は無いものとし、最高加算点は、型式欄３４で国土交通省型又は県の簡易型が選択された場合は１０点、県の標準型が選択された場合は２０点とする。また、評価点の小数点以下の有効桁数は、桁数欄３６に入力された桁数とする。
【００６２】
そして、装置１は、予定価格欄３２に入力された予定価格と、上記のように算出した自社の最高の評価点とから、次式［数６］に基づいて、自社の最高の評価点（すなわち、自社の最高の流動点）に対する自社最高額を算出し、また、予定価格と自社の最低の評価点とから、自社の最低の評価点（すなわち、自社の最低の流動点）に対する自社最高額を算出する。
【００６３】
[数６]
自社最高額＝予定価格×（評価点÷最高評価点）
ここで、最高評価点は、型式欄３４で国土交通省型又は県の簡易型が選択された場合は１１０点、県の標準型が選択された場合は１２０点である。また、自社最高額は、切捨て等の所定の方法により、丸め指定欄３５で入力された単位より下の端数が処理される。
【００６４】
簡易シミュレーションにおける自社最高額を［数６］で算出する理由を、図６に基づいて説明すれば、図６の破線Ａは、評価点が最高で入札価格が予定価格に等しい場合の評価値と同じ評価値になるラインを表しており、他社が最高評価点であると仮定すれば、この破線Ａが望ましい評価値の最低ラインと言え、破線Ａよりも自社の評価値が上であれば落札可能性が高いと言える。したがって、図６の矢印Ｂ、Ｃに示すように、自社の評価値がこの破線Ａ上に来るように自社の評価点から入札価格を求め、これを自社最高額とする。すなわち、［数６］により自社最高額を算出する。
【００６５】
そして、装置１は、図４に示すような簡易シミュレーション画面を再表示し、その流動点欄３８に自社の最高の流動点、固定点欄３９に自社の固定点、配点欄４０に配点を表示するとともに、入札金額上限欄５１に、自社の最高の流動点に対する自社最高額を表示し、入札金額下限欄５２に、自社の最低の流動点に対する自社最高額を表示する（Ｓ０３）。
【００６６】
このように、装置１は、簡易シミュレーションにおいては、自己では評価不可能な項目に対する点数を流動点として、自社の最高の流動点と最低の流動点の各々に対して自社最高額を算出して表示する。すなわち、自社の流動点の幅に対応した自社最高額の範囲が示されるので、ユーザはその範囲の中で、実際に工事にかかるコストや自社の利益等を考慮して入札金額を決定すればよいこととなり、実際に役に立つ予想が得られ、役に立つシミュレーションを行うことができる。
【００６７】
２−２．詳細シミュレーション
次に、他社との比較有りでシミュレーションを行う詳細シミュレーションについて説明する。
【００６８】
２−２−１．条件設定
ユーザが、簡易シミュレーション画面において他社との比較に移行するためのボタン５３をクリックすると（Ｓ０４）、装置１は、図７に示すような詳細シミュレーション用の条件設定画面を表示部１４に表示する（Ｓ０５）。なお、この画面において、簡易シミュレーション画面と同じ機能の部分には、簡易シミュレーション画面と同じ符号を用いて、その説明を適宜省略する。
【００６９】
ユーザは、条件設定画面の比較業者数欄５４に比較する他社の数、入札金額欄５５に自社の入札金額、表示幅欄５６に入札金額を表示するときの一目盛りの単位、表示用係数欄５７に評価値を表示するときの倍率を入力する（Ｓ０６）。なお、桁数欄３６に入力された桁数は、評価値及び評価点の小数点以下の桁数となる。装置１は、比較業者数欄５４に入力された他社の数だけ、業者欄６０を表示する。図７の例では、業者(1)から業者(6)までの６つの業者欄６０が表示される。
【００７０】
また、「技術力・技術提案」ボタン３７をクリックすることにより表示される評価シート画面において、ユーザは、簡易シミュレーションの場合と同様に、自社の条件として、各評価項目に対し、評価対象か否か、評価対象であれば流動点か固定点か、固定点であれば得点は何点か等の各種情報を入力する（Ｓ０６）。すると、装置１は、簡易シミュレーションの場合と同様に、固定点の合計と流動点の合計とを算出し、条件設定画面に戻るためのボタン４９がクリックされると、条件設定画面を再表示して、その流動点欄３８に自社の最高の流動点、固定点欄３９に自社の固定点、配点欄４０に配点を表示する。これらの情報は、ユーザが入力した情報に基づいて装置１が設定したものである。
【００７１】
また、ユーザがチェックポイント数欄５８にチェックポイントの設定数を入力すると、装置１は、その設定数分のチェックポイント欄５９を表示する。ユーザが、チェックポイントとする流動点を各チェックポイント欄５９に入力すると、装置１は、それらの流動点を記憶する。これらの流動点は、評価値等の算出の際に、自社の複数の流動点として用いられるとともに、各他社（図７の例では業者(1)〜業者(6)）の複数の流動点としても用いられる。図７の例では、設定数４、流動点として６点、４点、２点、０点が入力されており、装置１は、チェックポイントとする（すなわち、評価値等の算出の際に用いる）流動点として、６点、４点、２点、０点の４つを記憶する。
【００７２】
ユーザが他社設定用の「技術力・技術提案」ボタン６１をクリックすると、装置１は、図５と同様の他社用の評価シート画面を表示する。但し、他社用の評価シート画面では、各評価項目が評価対象か否か、評価対象であれば流動点か固定点かは、既に入力された自社用の評価シート画面と同じにされており、変更はできない。
【００７３】
ユーザが、他社用の評価シート画面において、固定点に対する得点を入力すると、装置１は、自社の場合と同様に、固定点の合計を算出する。そして、ユーザが条件設定画面に戻るためのボタンをクリックすると、装置１は、条件設定画面を再表示して、最初の他社すなわち業者(1)の固定点欄６３に、固定点の合計を表示する。なお、ユーザは、固定点欄６３に点数を直接入力することもできる。また、装置１は、流動点欄６２に自社の最高の流動点と同じ点数を表示するが、この点数をユーザが変更することはできない。ユーザは、業者(1)の入札金額欄６４に、業者(1)の予想される入札金額を入力する。同様にして、ユーザは、業者(2)〜(6)の固定点欄６３に固定点を、入札金額欄６４に入札金額を入力する（Ｓ０６）。なお、「入力」とは、ユーザが入力した情報に基づいて装置１が設定して表示した場合も含むものとする。
【００７４】
２−２−２．自社最高額を求める詳細シミュレーション
（１）自社最高額の算出
ユーザが自社最高額を求めるためのボタン６５をクリックすると（Ｓ０７）、装置１は、各他社について、自社の複数の流動点と自社の固定点と他社の複数の流動点と他社の固定点と他社の入札金額とに基づいて、自社の流動点毎にかつ他社の流動点毎に自社最高額を算出する。この算出の際、装置１は、上述したようにチェックポイントとする流動点として記憶しておいたものを、自社の複数の流動点及び他社の複数の流動点として用いる。図７の例では、自社の流動点及び業者(1)〜(6)の流動点として、６点、４点、２点、及び、０点を用いる。また、自社の固定点としては固定点欄３９に入力されたもの、他社の固定点及び他社の入札金額としては、その他社の固定点欄６３及び入札金額欄６４に入力されたものを用いる。なお、入札金額欄５５に入力された自社の入札金額は、自社最高額の算出の際は用いない。
【００７５】
自社最高額の算出について詳説すると、装置１は、自社の各流動点及び固定点と、配点欄４０に入力された配点とから、上記［数５］により、自社の流動点毎に評価点を求める。図７の例では、自社の流動点６点に対する評価点は、100＋（（8＋6）÷24）×10＝105.8333、４点に対する評価点は、100＋（（8＋4）÷24）×10＝105.0000、２点に対する評価点は、100＋（（8＋2）÷24）×10＝104.1666、０点に対する評価点は、100＋（（8＋0）÷24）×10＝103.3333となる。なお、評価点の小数点以下の桁数は、桁数欄３６で指定された桁数とする。
【００７６】
各評価点の算出方法について図８に基づいて説明すると、装置１は、各流動点（ここでは、６点、４点、２点、０点）について、配点（２４点）中の流動点及び固定点（８点）の点数を最高加算点（１０点）中の点数に換算し、その点数と標準点（１００点）との和を評価点とする。
【００７７】
一方、装置１は、各他社について、その他社の各流動点及び固定点と、配点欄４０に入力された配点とから、上記［数５］により、他社の流動点毎に評価点を求め、その評価点と入札金額欄６４に入力された入札金額とから、上記［数１］により、他社の流動点毎に評価値を求める。但し、［数１］で評価値を求める際の入札金額は単位を万円とし、その求めた評価値に表示用係数欄５で指定された係数を掛けた値を、表示用の評価値とし、表示用の評価値の小数点以下の桁数は、桁数欄３６で指定された桁数とする。図７の例では、業者(1)の表示用の評価値は、流動点が６点の場合、評価点は100＋（（11＋6）÷24）×10＝107.08333であり、評価値は107.08333÷9800≒0.01092687であるので、表示用の評価値は109.2687、同様に、４点の場合108.4183、２点の場合107.5681、０点の場合106.7177と算出される。
【００７８】
そして、他社の評価値＜自社の評価値（＝自社の評価点÷自社の入札金額）、すなわち、自社の入札金額＜自社の評価点÷他社の評価値であれば自社が落札可能と予想されることから、装置１は、次式［数７］により入札金額（単位：万円）を算出し、その入札金額の丸め指定欄３５で指定された単位より下の端数を切り捨てて、自社最高額とする。なお、簡易シミュレーションで用いた［数６］は用いない。
【００７９】
[数７]
入札金額＝自社の評価点÷他社の評価値
なお、装置１は、各他社について、自社の流動点毎及び他社の流動点毎に自社最高額を算出する。すなわち、各他社について、自社の流動点が６点であって他社の流動点が６点、４点、２点、０点の各場合、自社の流動点が４点であって他社の流動点が６点、４点、２点、０点の各場合、自社の流動点が２点であって他社の流動点が６点、４点、２点、０点の各場合、自社の流動点が０点であって他社の流動点が６点、４点、２点、０点の各場合、の１６通りの場合について自社最高額を算出する。
【００８０】
例えば、業者(1)に対する自社最高額を算出する場合、自社の流動点が６点であって業者(1)の流動点が６点のときには、自社の評価点は105.8333、業者(1)の評価値は0.01092687であるで、自社最高額は、105.8333÷0.01092687の１万円以下の端数を切り捨てた9,685万円となる。同様にして、例えば、自社の流動点が０点であって業者(1)の流動点が６点のときには、自社最高額は9,456万円と算出される。
【００８１】
（２）第１詳細シミュレーション画面の表示
装置１は、算出した自社最高額に基づいて、図９に示すように、第１詳細シミュレーション画面を表示部１４に表示する（Ｓ０８）。この画面の自社設定部７１、他社設定部７２には、条件設定画面において入力された自社の条件、他社の条件がそれぞれ表示されている。また、装置１は、各他社について、入札金額上限欄７３に、自社の最高の流動点と他社の最高の流動点とに対する（すなわち、自社の流動点がチェックポイントとされた流動点のうちの最高点である場合であって、他社の流動点がチェックポイントとされた流動点のうちの最高点である場合の）自社最高額を表示し、入札金額下限欄７４に、自社の最低の流動点と他社の最高の流動点とに対する（すなわち、自社の流動点がチェックポイントとされた流動点のうちの最低点である場合であって、他社の流動点がチェックポイントとされた流動点のうちの最高点である場合の）自社最高額を表示する。図９の例では、業者(1)について、入札金額上限欄７３に、自社の流動点が最高の６点で業者(1)の流動点が最高の６点である場合の自社最高額96,850,000が表示され、入札金額下限欄７４に、自社の流動点が最低の０点で業者(1)の流動点が最高の６点である場合の自社最高額94,560,000が表示されている。
【００８２】
このように、装置１は、他社の流動点を最高点とし、自社の流動点が最低点と最高点のそれぞれの場合の自社最高額を求めて表示する。実際の自社の流動点は最低点以上最高点以下であることから、自社の入札金額を入札金額上限欄７３に表示された自社最高額と入札金額下限欄７４に表示された自社最高額との間にすれば、その業者に対抗できる（すなわち、その業者よりも評価値が高くなる）可能性が高いこととなる。すなわち、装置１によれば、自社の流動点の幅に応じた落札可能性の高い入札金額の範囲を知ることができ、役に立つシミュレーションを行える。
【００８３】
また、装置１は、最も評価値が高い（したがって、自社最高額が低い）他社（図９の例では業者(5)）については、入札金額上限欄７３及び入札金額下限欄７４の色（具体的には、背景色）を変える。他社が複数の場合には、そのうちの評価値が最も高い他社に対抗可能であれば、それ以外の他社にも対抗可能であることから、最も評価値が高い他社に対する自社最高額を分かり易く示すためである。
【００８４】
なお、装置１は、第１詳細シミュレーション画面で、自社の最高の流動点と他社の最高の流動点とに対する自社最高額と、自社の最低の流動点と他社の最高の流動点とに対する自社最高額とを表示したが、少なくとも、自社の最高の流動点と他社の１つの流動点とに対する自社最高額と、自社の最低の流動点と他社の前記１つの流動点とに対する自社最高額とを表示すればよい。ここで言う「他社の１つの流動点」とは、他社の最高の流動点とは限らず、例えば最高点と最低点との平均点としてもよいが、より落札可能性の高い入札金額の範囲を知るためには、最高の流動点とすることが望ましい。
【００８５】
（３）第１グラフ表示画面の表示
ユーザが、第１詳細シミュレーション画面において、結果をグラフで表示するためのボタン７５をクリックすると（Ｓ０９）、装置１は、上記のように算出した自社最高額に基づいて、図１０に示すような第１グラフ表示画面を表示部１４に表示する（Ｓ１０）。この画面には、自社が落札可能と予想される自社の入札金額の範囲（以下、「自社入札金額範囲」という。）を自社の流動点毎にかつ他社の流動点毎に示す棒グラフが表示されている。自社入札金額範囲は、自社最高額以下の範囲となる。
【００８６】
図１０の例では、他社毎に表示部８１が設けられ、各表示部８１には、入札金額を縦軸として縦に伸びる棒グラフが、自社の流動点毎に（図１０の例では、左から６点、４点、２点、０点の順に）表示され、各棒グラフは、他社の流動点毎に（図１０の例では下から６点、４点、２点、０点の順に）色分けされて、各色により自社入札金額範囲が表されている。
【００８７】
図１０において、例えば、自社の流動点が２点で業者(1)の流動点が４点の場合、自社最高額は9,607万であることから、自社入札金額範囲は9,607万以下であるが、自社の流動点が２点で業者(1)の流動点が６点の場合の自社入札金額範囲が9,533万以下であるため、自社の流動点が２点の棒グラフにおいては、業者(1)の流動点が４点の場合に対応する色は、9,540万〜9,600万の範囲に付されている。これは、自社の流動点が２点で業者(1)の流動点が４点の場合、自社入札金額範囲は9,600万以下であるが、9,530万以下では流動点に比べて低過ぎるので、9,540万〜9,600万の範囲が望ましいことを表している。
【００８８】
なお、図１０の例では、表示幅欄５６に100,000が入力されたことに応じて、縦軸に示される入札金額の一目盛りの単位が100,000円とされているため、自社最高額の１万の位が切り捨てられて、自社入札金額範囲が表示されている。
【００８９】
そして更に、第１グラフ表示画面の棒グラフは、他社毎に、自社の最高の流動点と他社の最高の流動点とに対する自社最高額を示す部分と、自社の最低の流動点と他社の最高の流動点とに対する自社最高額を示す部分とが、他の部分とは異なる色にされることにより、他の部分とは区別可能とされている。
【００９０】
図１０の業者(1)の例では、自社の流動点６点と他社の流動点６点とに対する自社最高額を示す部分Ｈと、自社の流動点０点と他社の流動点６点とに対する自社最高額を示す部分Ｌとが、他の部分とは異なる色にされている。入札金額をかかる部分Ｈと部分Ｌとの間にすれば、その業者に対抗できる可能性が高いことから、その範囲を分かり易く示すためである。なお、縦軸に示される入札金額の一目盛りの単位に応じて、自社の最高の流動点と業者(1)の最高の流動点とに対する自社最高額96,850,000（図９参照）が9,680万の欄に、自社の最低の流動点と業者(1)の最高の流動点とに対する自社最高額94,560,000が9,450万の欄に示されている。
【００９１】
このように、第１グラフ表示画面には、自社入札金額範囲を自社の流動点毎にかつ他社の流動点毎に示す棒グラフが表示されるので、かかる範囲を視覚的に把握でき、把握容易である。
【００９２】
さらに、この棒グラフでは、自社の最高の流動点と他社の最高の流動点とに対する自社最高額を示す部分と、自社の最低の流動点と他社の最高の流動点とに対する自社最高額を示す部分とが、他の部分とは区別可能とされている。これらの自社最高額間で入札金額を決定すれば、他社の流動点を最高と仮定しているため、より落札可能性が高い。すなわち、この棒グラフによれば、より落札可能性が高い範囲が把握容易である。
【００９３】
（４）第１評価値表示画面の表示
一方、第１詳細シミュレーション画面において、ユーザが結果を評価値一覧で表示するためのボタン７６をクリックすると（Ｓ１１）、装置１は、上記［数５］［数１］により算出した評価値に基づいて、図１１に示すような第１評価値表示画面を表示部１４に表示する（Ｓ１２）。この画面は、他社毎に画面が分けられており、各他社について、他社の入札金額毎にかつ他社の流動点毎に他社の評価値を一覧表で示す他社評価値一覧部８３と、自社の入札金額毎にかつ自社の流動点毎に自社の評価値を一覧表で示す自社評価値一覧部８４とを有している。
【００９４】
図１１は、ユーザが業者名欄８２で業者(1)を選択することにより表示された、業者(1)についての第１評価値表示画面の例である。この画面の他社評価値一覧部８３には、業者(1)の評価値が他社の入札金額毎にかつ他社の流動点毎に表示されており、さらに、業者(1）の予想される入札金額は、条件設定画面の入札金額欄６４で入力されたとおり98,000,000であることから、この入札金額に対応する評価値を示す部分に色が付されている。なお、この色は、他社の流動点毎に異なるものとされている。
【００９５】
また、図１１に示すように、自社評価値一覧部８４には、自社の評価値が自社の入札金額毎にかつ自社の流動点毎に表示されているが、さらに、他社（図１１では業者(1)）の流動点毎に、自社の評価値が他社の評価値よりも高くなる部分（すなわち、自社が落札可能な範囲）が、色分けされて表示されている。したがって、自社評価値一覧部８４は、自社入札金額範囲を自社の流動点毎にかつ他社の流動点毎に示すものと言える。例えば、図１１で桃色が付された部分は、他社の流動点が０点の場合において、自社の評価値が他社の評価値よりも高くなる部分を示しており、例えば、自社の流動点が４点の場合は、9,770万〜9,830万の範囲が相当する。
【００９６】
この第１評価値表示画面によれば、他社の入札金額毎かつ他社の流動点毎の他社の評価値、及び、自社の入札金額毎かつ自社の流動点毎の自社の評価値が分かり易く、また、自社入札金額範囲を視覚的に容易に把握できる。
【００９７】
また、図１１で黄緑色が付された部分は、他社の流動点が最高（６点）の場合において、自社の評価値が他社の評価値よりも高くなる部分であるが、かかる部分のうち、自社の流動点が最高の場合と自社の流動点が最低の場合とにおける自社の評価値が最も低い（したがって、入札金額が最も高い）部分には、さらに異なる色（図１１では青色）が付されている。図１０と同様に、この青色が付されている部分に対応する入札金額間（図１１の例では9,450万と9,680万の間）であれば、その業者に対抗できる可能性がより高いことから、その範囲を分かり易く示すためである。
【００９８】
２−２−３．他社最低額を求める詳細シミュレーション
（１）他社最低額の算出
条件設定画面において、ユーザが他社最低額を求めるためのボタン６６をクリックすると（Ｓ１３）、装置１は、各他社について、自社の複数の流動点と自社の固定点と自社の入札金額と他社の複数の流動点と他社の固定点とに基づいて、自社の流動点毎にかつ他社の流動点毎に他社最低額を算出する。この算出の際、装置１は、自社最高額の算出の場合と同様に、チェックポイントとする流動点として記憶しておいたものを、自社の複数の流動点及び他社の複数の流動点として用いる。また、自社の固定点及び自社の入札金額としては固定点欄３９及び入札金額欄５５に入力されたもの、他社の固定点としては、その他社の固定点欄６３に入力されたものを用いる。なお、入札金額欄６４に入力された他社の入札金額は、他社最低額の算出の際は用いない。
【００９９】
他社最低額の算出について詳説すると、装置１は、自社の各流動点及び固定点と、配点欄４０に入力された配点とから、自社最高額の算出の場合と同様に［数５］により、自社の流動点毎に評価点を求める。図７の例では、自社の流動点６点に対する評価点は105.8333、４点に対する評価点は105.0000、２点に対する評価点は104.1666、０点に対する評価点は103.3333となる。
【０１００】
そして、装置１は、上記のように算出した自社の各評価点と、入力された自社の入札金額とから、上記［数１］により、自社の流動点毎に評価値を求める。例えば図７の例で、自社の流動点が０点の場合、評価点は103.3333であり、自社の入札金額は9,600万であることから、表示用の評価値は107.6389となる。
【０１０１】
一方、装置１は、各他社について、その他社の各流動点及び固定点と、配点欄４０に入力された配点とから、上記［数５］により、他社の流動点毎に評価点を求める。
【０１０２】
そして、自社の評価値＜他社の評価値（＝他社の評価点÷他社の入札金額）、すなわち、他社の入札金額＜他社の評価点÷自社の評価値であれば他社が落札可能と予想されることから、装置１は、次式［数８］により入札金額（単位：万円）を算出して、その入札金額の丸め指定欄３５で入力された単位より下の端数を切り上げて、他社最低額とする。
【０１０３】
[数８]
入札金額＝他社の評価点÷自社の評価値
なお、装置１は、各他社について、自社の流動点毎及び当該他社の流動点毎に他社最低額を算出する。すなわち、各他社について、上述した自社最高額の算出と同様に、１６通りの場合の他社最低額を算出する。
【０１０４】
例えば、自社の流動点が０点であって他社（業者(1)〜(6)）の流動点が６点のときには、自社の評価値は0.01076389、業者(1)の評価点は100＋（（11＋6）÷24）×10＝107.0833であるので、業者(1)の他社最低額は107.0833÷0.01076389の１万円以下の端数を切り上げた9,949万円、業者(2)の評価点は100＋（（9＋6）÷24）×10＝106.2500であるので、業者(2)の他社最低額は106.2500÷0.01076389の１万円以下の端数を切り上げた9,871万円、同様にして、業者（3）、（4）、（5）、（6）の他社最低額は、それぞれ9,600万円、9,833万円、9,794万円、9,523万円となる。
【０１０５】
（２）第２詳細シミュレーション画面の表示
装置１は、算出した他社最低額に基づいて、図１２に示すように、第２詳細シミュレーション画面を表示部１４に表示する（Ｓ１４）。この画面の自社入札金額欄９０、自社設定部９１、他社設定部９２には、条件設定画面において入力された自社の入札金額、自社の条件、他社の条件がそれぞれ表示されている。また、装置１は、各他社について、自社流動点欄９４において選択（すなわち入力）された自社の流動点と、他社流動点欄９５において選択された他社の流動点とに対する他社最低額を、入札金額欄９３に表示する。図１２の例では、自社の流動点が０点で他社の流動点が６点の場合の、業者(1)〜（6）の他社最低額が入札金額欄９３に表示されている。装置１は、自社流動点欄９４における自社の流動点の選択や、他社流動点欄９５における他社の流動点の選択の切替えに応じて、選択された自社の流動点及び他社の流動点に対する他社最低額を表示する。すなわち、装置１は、他社最低額を自社の流動点毎にかつ他社の流動点毎に表示する。
【０１０６】
さらに、装置１は、図１２の業者（1）の入札金額欄９３に示すように、予定価格欄３２に入力された予定価格を超える他社最低額については、例えば入札金額欄９３の背景色を赤にすること等により、予定価格を超えない他社最低額とは区別可能に表示する。かかる場合は、表示された他社最低額よりも低い金額で他社が入札するため、その他社に対抗するためには、自社の入札価格を自社入札金額欄９０に表示されている金額よりもさらに下げる必要があるからである。
【０１０７】
このように、装置１によれば、チェックポイント欄５９に入力された点数に基づいて、自社の流動点を複数設定するとともに他社の流動点を複数設定し、自社の流動点毎にかつ他社の流動点毎に他社最低額を表示するので、流動点に応じた様々なケースの他社最低額を知ることができ、役に立つシミュレーションを行える。また、入力された予定価格を超える他社最低額を、予定価格を超えない他社最低額とは区別可能に表示するので、ユーザは、かかる他社最低額の存在を容易に知ることができる。
【０１０８】
（３）第２グラフ表示画面の表示
ユーザが、第２詳細シミュレーション画面において、結果をグラフで表示するためのボタン９６をクリックすると（Ｓ１５）、装置１は、上記のように算出した他社最低額に基づいて、図１３に示すような第２グラフ表示画面を表示部１４に表示する（Ｓ１６）。この画面は、自社の流動点毎に画面が分かれており、自社が落札可能と予想される他社の入札金額の範囲（以下、「他社入札金額範囲」という。）を自社の流動点毎にかつ他社の流動点毎に示す棒グラフを、表示するものである。他社入札金額範囲は、他社最低額以上の範囲となる。
【０１０９】
図１３の例では、条件設定画面で入力された自社の入札金額を表示する自社入札金額欄１０１と、自社の流動点が選択される自社流動点欄１０２と、他社毎の表示部１０３とが設けられている。そして、各表示部１０３には、入札金額を縦軸として縦に伸びる棒グラフが、他社の流動点毎に（図１３の例では、左から６点、４点、２点、０点の順に）表示されている。この棒グラフは、自社の入札金額が自社入札金額欄１０１に表示された金額であって、自社の流動点が自社流動点欄１０２において選択された点数である場合に、他社の入札金額がどの範囲内であれば自社が落札可能であるかを示すものであり、例えば、自社の入札金額が96,000,000、自社の流動点が０点、業者（2）の流動点が６点の場合、自社が落札可能と予想される業者（2）の入札金額の範囲は9,880万以上となる。
【０１１０】
なお、例えば、自社の流動点が０点で業者(2)の流動点が６点の場合の他社最低額は9,871万（図１２参照）であり、業者(2)の入札金額がこの金額以上であれば業者(2)に対しては自社が落札可能であるが、図１３では、表示幅欄５６に100,000が入力されたことに応じて、縦軸に示される入札金額の一目盛りの単位が100,000円とされているため、自社が落札可能と予想される業者(2)の入札金額の範囲は、9,880万以上とされる。
【０１１１】
また、図１３の業者（1）で流動点が６点の場合のように、他社の入札金額の範囲が予定価格（図１３の例では99,000,000）以上となる場合には、ユーザの注意を促すために、該当する他社の流動点を示す他社流動点欄１０４に色を付して示す。他社は予定価格より低い入札金額で入札するため、かかる場合には、自社の入札価格を自社入札金額欄１０１に表示されている金額よりもさらに下げる必要があるからである。
【０１１２】
このように、第２グラフ表示画面には、他社入札金額範囲を自社の流動点毎にかつ他社の流動点毎に示す棒グラフが表示されるので、他社の入札金額がどの範囲であれば自社の落札可能性が高いかが視覚的に把握でき、把握容易である。
【０１１３】
（４）第２評価値表示画面の表示
一方、第２詳細シミュレーション画面において、ユーザが結果を評価値一覧で表示するためのボタン９７をクリックすると（Ｓ１７）、装置１は、上記［数５］［数１］により算出した評価値に基づいて、図１４に示すような第２評価値表示画面を表示部１４に表示する（Ｓ１８）。この画面は、自社の流動点毎に画面が分かれており、条件設定画面で入力された自社の入札金額を表示する自社入札金額欄１０５と、自社の流動点が選択される自社流動点欄１０６と、自社の入札金額毎にかつ自社の流動点毎に自社の評価値を一覧表で示す自社評価値一覧部１０７と、他社の入札金額毎にかつ他社の流動点毎に他社の評価値を一覧表で示す他社評価値一覧部１０８とを有している。
【０１１４】
そして、第２評価値表示画面では、自社の入札金額が自社入札金額欄１０５に表示された金額であって自社の流動点が自社流動点欄１０２で選択された点数である場合の自社の評価値を表示する欄１０９に、色が付されるとともに、その自社の評価値よりも他社の評価値が低くなる他社評価値一覧部１０８の部分（すなわち、自社が落札可能な範囲）に、色が付されて、視覚的に把握容易とされている。
【０１１５】
この第２評価値表示画面によれば、自社の入札金額毎かつ自社の流動点毎の自社の評価値、及び、他社の入札金額毎かつ他社の流動点毎の他社の評価値が分かり易く、また、他社入札金額範囲を視覚的に容易に把握できる。
【０１１６】
３．変形例
なお、評価点や評価値の算出方法は、上述したものに限るものではなく、非特許文献３等に記載されているような種々の方法が採れる。要するに、入札価格（すなわち、入札金額）と評価項目に対する得点とに基づいて評価値を求めるものであればよい。
【０１１７】
また、上記実施形態では、他社の流動点を複数設定したが、単数としてもよい。第１詳細シミュレーション画面の表示には、他社の流動点は単数設定すれば十分であり、かかる場合、上述したように、他社の流動点は最高の流動点とすることが望ましい。
【０１１８】
また、第１詳細シミュレーション画面において、各他社について、他社の最高の流動点と自社の最高の流動点とに対する自社最高額と、他社の最高の流動点と自社の最低の流動点とに対する自社最高額とのみを、表示したが、他社の流動点毎及び自社の流動点毎の自社最高額を全て表示することとしてもよい。
【０１１９】
また、上記実施形態では、チェックポイント欄５９に入力された点数により、自社の流動点と他社の流動点とを、一括して同じように（図７の例では、どちらも、６点、４点、２点、０点に）設定したが、自社の流動点と他社の流動点とを、別々に設定する形態としてもよい。かかる実施形態としては、自社用のチェックポイント欄と他社用のチェックポイント欄とを別々に設け、チェックポイントとする自社の流動点と他社の流動点とを別々に入力させる形態がある。
【０１２０】
また、チェックポイントとする流動点の設定方法も種々の変更が可能であり、上記実施形態のように入力された点数をそのまま用いる方法の他、入札シミュレーション装置１が、ユーザが入力した情報により算出される最高の流動点と所定の最低の流動点（例えば０点）とを、チェックポイントとするとともに、最低の流動点から例えば２点刻みで最高の流動点を越えない点数をチェックポイントとする等、所定のルールに従って設定するようにしてもよい。
【０１２１】
すなわち、特許請求の範囲を逸脱しない範囲で、本発明は種々の構成を採り得る。
【図面の簡単な説明】
【０１２２】
【図１】総合評価落札方式を説明するための図である。
【図２】本発明の一実施形態に係る入札シミュレーション装置のブロック構成図である。
【図３】本発明の一実施形態に係る入札シミュレーション装置の処理の流れを示すフローチャートである。
【図４】簡易シミュレーション画面の一例である。
【図５】評価シート画面の一例である。
【図６】簡易シミュレーションにおける自社最高額の算出方法を説明するための図である。
【図７】詳細シミュレーション用の条件設定画面の一例である。
【図８】評価点の算出方法を説明するための図である。
【図９】第１詳細シミュレーション画面の一例である。
【図１０】第１グラフ表示画面の一例である。
【図１１】第１評価値表示画面の一例である。
【図１２】第２詳細シミュレーション画面の一例である。
【図１３】第２グラフ表示画面の一例である。
【図１４】第２評価値表示画面の一例である。
【符号の説明】
【０１２３】
１…入札シミュレーション装置
２１…入札シミュレーションプログラム
【図１】
2008250461.tif 000003
【図２】
2008250461.tif 000004
【図３】
2008250461.tif 000005
【図４】
2008250461.tif 000006
【図５】
2008250461.tif 000007
【図６】
2008250461.tif 000008
【図７】
2008250461.tif 000009
【図８】
2008250461.tif 000010
【図９】
2008250461.tif 000011
【図１０】
2008250461.tif 000012
【図１２】
2008250461.tif 000013
【図１１】
2008250461.tif 000014
【図１３】
2008250461.tif 000015
【図１４】
2008250461.tif 000016